(57)【要約】【課題】予め定められた利用者が操作している画面を第三者が視認することを困難にする画像表示装置、及び画像表示プログラムを提供する。【解決手段】撮像手段による撮像で得られた被写体を示す被写体像から顔を検出する顔領域検出手段と、顔領域検出手段により検出された顔の特徴量と、予め定められた利用者の顔の特徴情報とに基づき、顔領域検出手段により検出された顔が予め定められた利用者の顔か否かを、顔領域検出手段により検出された顔毎に判断する判断手段と、顔領域検出手段により検出された顔のうち、判断手段により予め定められた利用者の顔と異なる非利用者の顔と判断された顔が１つ以上存在することを検知した場合に、表示手段により表示されている画像に代えて、この画像に比べて視認性の低い画像を表示するように表示手段を制御する制御手段と、を有する。【選択図】図６
2008181015.tif 000002
【特許請求の範囲】
【請求項１】
画像を表示する表示手段と、
前記表示手段により前記画像が表示される表示面側の被写体を撮像する撮像手段と、
当該画像表示装置の予め定められた利用者の顔の特徴量を示すと共に、前記撮像手段による撮像画像に基づく情報である利用者特徴情報を記録する記録手段と、
前記撮像手段による撮像で得られた被写体を示す被写体像から顔を検出する顔領域検出手段と、
前記顔領域検出手段により検出された顔の特徴量と、前記記録手段により記録された前記利用者特徴情報とに基づき、前記顔領域検出手段により検出された顔が前記予め定められた利用者の顔か否かを、前記顔領域検出手段により検出された顔毎に判断する判断手段と、
前記顔領域検出手段により検出された顔のうち、前記判断手段により前記予め定められた利用者の顔と異なる非利用者の顔と判断された顔が１つ以上存在することを検知する非利用者検知手段と、
前記非利用者検知手段により、前記判断手段により前記予め定められた利用者の顔と異なる非利用者の顔と判断された顔が１つ以上存在することが検知されたとき、前記表示手段により表示されている前記画像に代えて、前記画像に比べて視認性の低い画像を表示するように前記表示手段を制御する制御手段と、
を有する画像表示装置。
【請求項２】
前記顔領域検出手段により検出された顔に対して、該顔と前記表示手段との距離を測定する測距手段を更に有し、
前記非利用者検知手段は、更に該非利用者の顔に対して前記測距手段により測定された距離が所定の距離以下であることを検知し、
前記制御手段は、前記非利用者検知手段により、更に該非利用者の顔に対して前記測距手段により測定された距離が所定の距離以下であることが検知されたとき、前記表示手段により表示されている前記画像に代えて、前記画像に比べて視認性の低い画像を表示するように前記表示手段を制御する請求項１に記載の画像表示装置。
【請求項３】
前記顔領域検出手段により検出された顔に対して、該顔と前記表示手段とを結ぶ線分と、前記表示面とがなす角度を測定する角度測定手段を更に有し、
前記非利用者検知手段は、更に該非利用者の顔に対して前記角度測定手段により測定された角度が所定の範囲内であることを検知し、
前記制御手段は、前記非利用者検知手段により、更に該非利用者の顔に対して前記角度測定手段により測定された角度が所定の範囲内であることが検知されたとき、前記表示手段により表示されている前記画像に代えて、前記画像に比べて視認性の低い画像を表示するように前記表示手段を制御する請求項１又は請求項２に記載の画像表示装置。
【請求項４】
前記制御手段は、前記画像の視認性を低下させて表示するように前記表示手段を制御する場合には、前記画像の内容に応じて視認性を低下させる度合いを定める請求項１から請求項３のいずれか１項に記載の画像表示装置。
【請求項５】
前記撮像手段による撮像範囲が、前記表示手段による表示画像を視認可能な位置の被写体を撮像できる範囲とされている請求項１から請求項４のいずれか１項に記載の画像表示装置。
【請求項６】
画像を表示する表示手段により前記画像が表示される表示面側の被写体を撮像する撮像手段による撮像で得られた被写体を示す被写体像から顔を検出する顔領域検出ステップと、
前記顔領域検出ステップにより検出された顔の特徴量と、予め定められた利用者の顔の特徴量を示すと共に、前記撮像手段による撮像画像に基づく情報である利用者特徴情報とに基づき、前記顔領域検出ステップにより検出された顔が前記予め定められた利用者の顔か否かを、前記顔領域検出ステップにより検出された顔毎に判断する判断ステップと、
前記顔領域検出ステップにより検出された顔のうち、前記判断ステップにより前記予め定められた利用者の顔と異なる非利用者の顔と判断された顔が１つ以上存在することを検知する非利用者検知ステップと、
前記非利用者検知ステップにより、前記判断ステップにより前記予め定められた利用者の顔と異なる非利用者の顔と判断された顔が１つ以上存在することが検知されたとき、前記表示手段により表示されている前記画像に代えて、前記画像に比べて視認性の低い画像を表示するように前記表示手段を制御する制御ステップと、
を有する処理をコンピュータに実行させるための画像表示プログラム。
【発明の詳細な説明】
【技術分野】
【０００１】
本発明は、画像表示装置、及び画像表示プログラムに関する。
【背景技術】
【０００２】
ディスプレイモニタなどの画像表示装置により、利用者に情報を提示し、それを視認した利用者が操作をすることにより、所望の目的を達成することが可能な画像表示装置がある。
【０００３】
このような装置として、例えば、店舗や公共の場においてサービスを提供する情報端末装置(写真プリント端末、ＡＴＭなど)、パーソナルコンピュータ、携帯電話、携帯情報端末、デジタルカメラ、デジタルテレビなどの情報家電などがある。
【０００４】
これら画像表示装置には、写真のプレビュー画像やサムネイル画像、或いは口座の残高表示や振込先など、利用者のプライバシーやセキュリティに関わる情報を表示する可能性があるため、このようなプライバシー関連情報などの情報を保護するための技術が開発されている。
【０００５】
例えば、特許文献１には、コンピュータ作業者が椅子に座っているか否かを検出し、表示画面の表示または非表示のタイミングを制御することにより、コンピュータ中心の画面制御から作業者の行動に合った画面制御の方法が開示されている。
【０００６】
特許文献２には、オペレータの有無の検出およびオペレータの利用可否の識別を表示装置自体で行い、接続して使用する情報処理装置が限定されることを防ぐ技術が開示されている。
【０００７】
特許文献３には、携帯表示端末の非所持時に、重要なデータが第三者に見られてしまうことがないようにする技術が開示されている。
【０００８】
特許文献４には、情報の漏洩の防止することを可能にする表示制御装置、方法およびプログラムが開示されている。
【特許文献１】特開平５−１９７０７号公報
【特許文献２】特開平１０−９７２３３号公報
【特許文献３】特開２００２−３５１４４４号公報
【特許文献４】特開２００４−１１０６８１号公報
【発明の開示】
【発明が解決しようとする課題】
【０００９】
上述した各特許文献に開示された技術は、予め定められた利用者が操作している画面を第三者が視認することができるという問題点があった。
【００１０】
本発明は上記問題点に鑑み、予め定められた利用者が操作している画面を第三者が視認することを困難にする画像表示装置、及び画像表示プログラムを提供することを目的とする。
【課題を解決するための手段】
【００１１】
上記課題を解決するために、請求項１の発明は、画像を表示する表示手段と、前記表示手段により前記画像が表示される表示面側の被写体を撮像する撮像手段と、当該画像表示装置の予め定められた利用者の顔の特徴量を示すと共に、前記撮像手段による撮像画像に基づく情報である利用者特徴情報を記録する記録手段と、前記撮像手段による撮像で得られた被写体を示す被写体像から顔を検出する顔領域検出手段と、前記顔領域検出手段により検出された顔の特徴量と、前記記録手段により記録された前記利用者特徴情報とに基づき、前記顔領域検出手段により検出された顔が前記予め定められた利用者の顔か否かを、前記顔領域検出手段により検出された顔毎に判断する判断手段と、前記顔領域検出手段により検出された顔のうち、前記判断手段により前記予め定められた利用者の顔と異なる非利用者の顔と判断された顔が１つ以上存在することを検知する非利用者検知手段と、前記非利用者検知手段により、前記判断手段により前記予め定められた利用者の顔と異なる非利用者の顔と判断された顔が１つ以上存在することが検知されたとき、前記表示手段により表示されている前記画像に代えて、前記画像に比べて視認性の低い画像を表示するように前記表示手段を制御する制御手段と、を有する。
【００１２】
なお、本発明は、請求項２の発明のように、前記顔領域検出手段により検出された顔に対して、該顔と前記表示手段との距離を測定する測距手段を更に有し、前記非利用者検知手段は、更に該非利用者の顔に対して前記測距手段により測定された距離が所定の距離以下であることを検知し、前記制御手段は、前記非利用者検知手段により、更に該非利用者の顔に対して前記測距手段により測定された距離が所定の距離以下であることが検知されたとき、前記表示手段により表示されている前記画像に代えて、前記画像に比べて視認性の低い画像を表示するように前記表示手段を制御するようにしても良い。
【００１３】
なお、本発明は、請求項３の発明のように、前記顔領域検出手段により検出された顔に対して、該顔と前記表示手段とを結ぶ線分と、前記表示面とがなす角度を測定する角度測定手段を更に有し、前記非利用者検知手段は、更に該非利用者の顔に対して前記角度測定手段により測定された角度が所定の範囲内であることを検知し、前記制御手段は、前記非利用者検知手段により、更に該非利用者の顔に対して前記角度測定手段により測定された角度が所定の範囲内であることが検知されたとき、前記表示手段により表示されている前記画像に代えて、前記画像に比べて視認性の低い画像を表示するように前記表示手段を制御するようにしても良い。
【００１４】
なお、本発明は、請求項４の発明のように、前記制御手段は、前記画像の視認性を低下させて表示するように前記表示手段を制御する場合には、前記画像の内容に応じて視認性を低下させる度合いを定めるようにしても良い。
【００１５】
なお、本発明は、請求項５の発明のように、前記撮像手段による撮像範囲が、前記表示手段による表示画像を視認可能な位置の被写体を撮像できる範囲とされているようにしても良い。
【００１６】
また、上記課題を解決するために、請求項６の画像表示プログラムは、画像を表示する表示手段により前記画像が表示される表示面側の被写体を撮像する撮像手段による撮像で得られた被写体を示す被写体像から顔を検出する顔領域検出ステップと、前記顔領域検出ステップにより検出された顔の特徴量と、予め定められた利用者の顔の特徴量を示すと共に、前記撮像手段による撮像画像に基づく情報である利用者特徴情報とに基づき、前記顔領域検出ステップにより検出された顔が前記予め定められた利用者の顔か否かを、前記顔領域検出ステップにより検出された顔毎に判断する判断ステップと、前記顔領域検出ステップにより検出された顔のうち、前記判断ステップにより前記予め定められた利用者の顔と異なる非利用者の顔と判断された顔が１つ以上存在することを検知する非利用者検知ステップと、前記非利用者検知ステップにより、前記判断ステップにより前記予め定められた利用者の顔と異なる非利用者の顔と判断された顔が１つ以上存在することが検知されたとき、前記表示手段により表示されている前記画像に代えて、前記画像に比べて視認性の低い画像を表示するように前記表示手段を制御する制御ステップと、を有する処理をコンピュータに実行させる。
【発明の効果】
【００１７】
本発明によれば、予め定められた利用者が操作している画面を第三者が視認することを困難にする画像表示装置、及び画像表示プログラムを提供することができるという効果が得られる。
【発明を実施するための最良の形態】
【００１８】
以下、図面を参照して、本発明の実施の形態について詳細に説明する。
【００１９】
まず、図１を用いて本実施の形態に係る画像表示装置１０の外観について説明する。画像表示装置１０は、カメラ３２、表示部２８、及び各種Ｉ／Ｆ部２４が備わっている。カメラ３２は、表示部２８により画像が表示される表示面側の被写体を撮像するものである。また、カメラ３２を上面から見た場合は、図２に示されるような構造となっており、撮像範囲は、画角に示されるように表示部２８による表示画像を視認可能な位置の被写体を撮像できる範囲とされている。表示部２８は、画像を表示するものである。各種Ｉ／Ｆ（インタフェース）部２４は、メモリカードなど各種メディアとのインタフェースである。
【００２０】
上述した表示部２８に表示される画像は、写真のプレビュー画像やサムネイル画像、或いは口座の残高表示や振込先など、当該画像表示装置１０が適用されている形態に応じたものである。
【００２１】
次に、図３を用いて上記画像表示装置１０のハードウェア構成について説明する。画像表示装置１０は、ＣＰＵ（Central Processing Unit）１８と、ＨＤＤ（Hard Disk Drive）２０と、ＲＡＭ２２と、各種Ｉ／Ｆ部２４と、ＲＯＭ２６と、表示部２８と、操作入力部３０と、カメラ３２と、それらを電気的に接続するバス３４とを含む。
【００２２】
ＣＰＵ１８は、画像表示装置１０の全体の動作を司るものであり、後述する画像表示装置１０の処理の流れを示すフローチャートは、ＣＰＵ１８により実行される。ＨＤＤ２０は、各種プログラム、後述する顔の特徴情報、そしてＯＳ（Operating System）などが記録される不揮発性の記憶装置である。ＲＡＭ２２は、ＯＳ、プログラムなどが展開される揮発性の記憶装置である。
【００２３】
各種Ｉ／Ｆ部２４は、上述した通り、各種メディアとのインタフェースであるが、それに加え、例えばＬＡＮに接続するためのＮＩＣやそのドライバ、又はＵＳＢデバイスを含んで構成されていても良い。ＲＯＭ２６は、画像表示装置１０の起動時に動作するブートプログラムなどが記憶されている不揮発性の記憶装置である。操作入力部３０は、例えば表示部２８に設けられたタッチパネルなどであり、利用者が画像表示装置１０の操作指示や各種情報を入力する際に用いられるものである。バス３４は、以上の各部間で情報のやりとりが行われる際に使用される。
【００２４】
なお、上述したＨＤＤ２０には、ＣＰＵ１８により実行される後述するプログラムやそのプログラムが用いるデータなどが記録されるが、このプログラムは、必ずしもＨＤＤ２０に記録されたプログラムでなくても良い。ＨＤＤ２０以外の記録媒体として、具体的には可搬型の記録媒体にプログラムを記録したものが挙げられる。この場合、画像表示装置１０に、可搬型の記録媒体を読み取るための読み取り装置を設け、可搬型の記録媒体は読み取り装置に対して、磁気、光、電気等のエネルギーの変化状態を引き起こし、それに対応する信号の形式で、読み取り装置にプログラムの記述内容を伝達できるものである。
【００２５】
可搬型の記録媒体として、例えば光磁気ディスク、光ディスク（ＣＤやＤＶＤなどを含む）、磁気ディスク、メモリ（ＩＣカード、メモリカードなどを含む）などが挙げられる。
【００２６】
以上説明した構成で実行される処理の説明に先立ち、まず本実施の形態に係る処理の概要について、図４を用いて説明する。画像表示装置１０は、まず（Ａ）に示されるように、利用者の顔を撮像し、その顔の特徴量を求め、ＨＤＤ２０に記録する。次に、利用者が操作中は、（Ｂ）に示されるように、カメラ３２により一定間隔で被写体を撮像し、その撮像により得られた画像に存在する顔を検出する。顔を検出すると、各顔毎に、（Ｃ）に示されるように、距離と角度を測定する。この（Ｃ）に示される扇形内部は表示面を視認可能な範囲を示している。（Ｃ）では、Ｘのみが視認可能な範囲に存在する。従って、（Ｄ）に示されるように視認可能な範囲に存在する顔が１つ以上存在するので、その場合に画像の視認性を低下させて表示する。
【００２７】
この視認性を低下させた表示とは、図５に示されるように、「モザイク」、「ぼかし」、「スケッチ」、「輪郭抽出」、「ソラリゼーション」などの画像処理をされた画像を表示することを示す。いずれも「通常表示」と比較すると、視認性が低下することが分かる。
【００２８】
これら視認性の低下であるが、画像表示装置１０は、画像の内容に応じて視認性を低下させる方法や度合いを選択して定めることが可能である。例えば、画像の内容が文字からなる場合、上述した「モザイク」で画像処理をされた場合は、利用者さえも視認できないものとなってしまう。そのため、「モザイク」ではなく、「ぼかし」の度合いを低めに定めた画像処理をする、或いは、表示している文字の色と背景の色とのコントラストを低下させる、表示している文字のフォントの大きさを小さくする、というように制御する方法と度合いを選択する。これらの方法によっても、非利用者の視認性を低下させることが可能である。
【００２９】
以上が画像表示装置１０で実行される処理の概要である。次に、処理の詳細をフローチャートを用いて説明する。なお、以下で説明されるフローチャートは、ＣＰＵ１８が実行するものである。
【００３０】
まず、図６を用いて、画像表示装置１０の予め定められた利用者の顔の特徴量を示すと共に、カメラによる撮像画像に基づく情報である利用者特徴情報を記録する処理について説明する。
【００３１】
まず、ステップ１０１で被写体を示す画像内から顔を検出する。次のステップ１０２で、顔が存在するか否か判断する。ステップ１０２で否定判断した場合には、再びステップ１０１の処理を実行する。
【００３２】
一方、ステップ１０２で肯定判断した場合には、ステップ１０３で検出された顔が、所定範囲内に存在するか否か判断する。この所定範囲内とは、例えば、図４（Ａ）に示されている点線内を意味する。この範囲は、通常の利用者であれば、画像表示装置１０の正面、かつ近距離に立つことを根拠としている。もちろん、この範囲に限るものではなく、また範囲を設定できるようにしても良い。或いは記録する顔を利用者が設定できるようにしても良い。
【００３３】
次のステップ１０４で、所定範囲内に存在する顔の特徴量を抽出し、ステップ１０５で、特徴量を利用者特徴情報としてＨＤＤ２０に記録する。
【００３４】
このフローチャートでは、１人の顔のみを記録することを前提としているが、例えば同時に画像表示装置１０を利用する家族の顔など、複数人の顔を記録するようにしても良い。また、ここでの特徴量は、顔が同一の顔か否か判断可能なものであれば良い。具体的に上記特徴量として例えば顔の重心位置と、その重心位置からの顔の各パーツの相対位置などからなる情報が挙げられる。
【００３５】
次に、上述した処理により特徴量が記録された利用者が、画像表示装置１０を利用中に実行される処理について説明する。
【００３６】
図７に示されるフローチャートは、視認可能範囲内に、利用者の顔と異なる非利用者の顔と判断された顔が１つ以上存在した場合に、表示部２８により表示されている画像の視認性を通常の画像と比較して低下させて表示する処理を示している。
【００３７】
まず、ステップ２０１で、被写体を示す画像内に存在する全ての顔を検出する。次に、ステップ２０２で、検出した各顔の特徴量を取得する。次のステップ２０３で、検出した顔の特徴量と利用者特徴情報とに基づき、検出された顔が予め定められた利用者の顔か否かを検出された顔毎に判断する。このステップ２０３は、ステップ２０１により検出された顔の特徴量と、ＨＤＤ２０により記録された利用者特徴情報とに基づき、ステップ２０１により検出された顔が予め定められた利用者の顔か否かを、ステップ２０１により検出された顔毎に判断する処理である。
【００３８】
そしてステップ２０４で、予め定められた利用者の顔と異なる顔と判断された顔が１つ以上存在するか否か判断する。このステップ２０４は、ステップ２０１により検出された顔のうち、ステップ２０３により予め定められた利用者の顔と異なる非利用者の顔と判断された顔が１つ以上存在することを検知する処理である。このステップ２０４で否定判断した場合、再びステップ２０１の処理を実行する。
【００３９】
一方、ステップ２０４で肯定判断した場合、ステップ２０５で、画像の視認性を低下させて表示する。このステップ２０５の処理は、ステップ２０４により、ステップ２０３により予め定められた利用者の顔と異なる非利用者の顔と判断された顔が１つ以上存在することが検知されたとき、表示部２８により表示されている画像に代えて、その画像に比べて視認性の低い画像を表示するように表示部２８を制御する処理である。
【００４０】
以上説明した処理により、予め定められた利用者が操作している画面を第三者が視認することを困難にすることが可能となる。
【００４１】
次に、上述した処理に、さらに距離を考慮して視認性を低下するか否か判断する処理を、図８のフローチャートを用いて説明する。
【００４２】
まず、ステップ３０１で、被写体を示す画像内に存在する全ての顔を検出する。次に、ステップ３０２で、検出した各顔の特徴量を取得する。次のステップ３０３で、検出した顔の特徴量と利用者特徴情報とに基づき、検出された顔が予め定められた利用者の顔か否かを検出された顔毎に判断する。
【００４３】
そしてステップ３０４で、予め定められた利用者の顔と異なる顔と判断された顔が１つ以上存在するか否か判断する。このステップ３０４で、否定判断した場合、再びステップ２０１の処理を実行する。
【００４４】
一方、ステップ３０４で肯定判断した場合、ステップ３０５で、予め定められた利用者の顔と異なる顔と判断された顔と、表示部２８との距離を測定する。この距離の測定は、カメラ３２から得られた画像に基づき行われる。具体的に例えば画像における顔の大きさから大体の距離を測定することができる。或いは測距センサを画像表示装置１０に設け、その測距センサを用いるようにすることで、より正確な距離を測定することができる。
【００４５】
次に、ステップ３０６で、距離が所定距離内か否か判断する。このステップ３０６で、否定判断した場合、再びステップ３０１の処理を実行する。
【００４６】
一方、ステップ３０６で肯定判断、すなわち、測定された距離が所定の距離以下であることを検知した場合、ステップ３０７で、画像の視認性を低下させて表示する。
【００４７】
以上説明した処理により、予め定められた利用者が操作している画面を第三者が視認することを困難にすることが可能となる。また、視認可能な距離内に非利用者が存在する場合にのみ視認性を低下させるので、利用者の使い勝手が向上する。
【００４８】
また、上述した所定距離内における距離であるが、表示画像の内容が視認できるものとみなせる距離として、予め実機による実験や実機の仕様に基づき、コンピュータシミュレーション等によって得られた距離を適用することができる。
【００４９】
次に、図７で説明した処理に、さらに角度を考慮して視認性を低下するか否か判断する処理を、図９のフローチャートを用いて説明する。
【００５０】
まず、ステップ４０１で、被写体を示す画像内に存在する全ての顔を検出する。次に、ステップ４０２で、検出した各顔の特徴量を取得する。次のステップ４０３で、検出した顔の特徴量と利用者特徴情報とに基づき、検出された顔が予め定められた利用者の顔か否かを検出された顔毎に判断する。
【００５１】
そしてステップ４０４で、予め定められた利用者の顔と異なる顔と判断された顔が１つ以上存在するか否か判断する。このステップ４０４で、否定判断した場合、再びステップ２０１の処理を実行する。
【００５２】
一方、ステップ４０４で肯定判断した場合、ステップ４０５で、異なる顔とディスプレイとを結ぶ線分と、表示面とがなす角度を測定する。この角度の測定は、カメラ３２から得られた画像に基づき行われる。具体的に例えば画像における顔の大きさと、顔の位置が画像の中央からどれだけ離れているかで大体の角度を測定することができる。或いは指向性のある測距センサを所定角度毎に画像表示装置１０に複数個設け、センシングした測距センサの画像表示装置１０における位置から角度が測定できるため、このような測距センサを用いるようにすることで、より正確な角度を測定することができる。
【００５３】
次に、ステップ４０６で、角度が所定範囲内か否か判断する。この角度の所定範囲として、例えば表示部２８の視野角が挙げられる。近年の液晶ディスプレイは、所定の視野角となるように設計できるため、その視野角に応じた範囲とする。このステップ４０６で、否定判断した場合、再びステップ４０１の処理を実行する。
【００５４】
一方、ステップ４０６で肯定判断、すなわち、非利用者の顔に対して測定された角度が所定の範囲内であることを検知した場合、ステップ４０７で、画像の視認性を低下させて表示する。
【００５５】
以上説明した処理により、予め定められた利用者が操作している画面を第三者が視認することを困難にすることが可能となる。また、視認可能な角度の範囲内に非利用者が存在する場合にのみ視認性を低下させるので、利用者の使い勝手が向上する。
【００５６】
なお、図８で説明した距離を考慮した処理と、上述した図９で説明した角度を考慮した処理とを組み合わせて実行することも可能である。すなわち、図８のステップ３０６で、所定距離内に非利用者が存在すると判断された場合、次に図９のステップ４０５の処理で角度を測定し、ステップ４０６を実行することで、距離と角度とを考慮した処理を実行することができる。
【００５７】
次に、画像の視認性を低下させて表示するように表示部２８を制御する場合には、画像の内容に応じて視認性を低下させる度合いを定める処理を、図１０のフローチャートを用いて説明する。なお、このフローチャートでは、「ぼかし」を例にしているが、上述した視認性を低下させる他の画像処理であっても良い。
【００５８】
まず、ステップ５０１で、画像の内容に文字を含むか否か判断する。ステップ５０１で肯定判断した場合には、ステップ５０３で、ぼかしの度合いを低めに定める。文字は多少ぼかしても利用者には視認できるが、少し離れた非利用者には視認不可能となる。
【００５９】
一方、ステップ５０１で否定判断した場合、次のステップ５０２で、サムネイル表示か否か判断する。ステップ５０２で肯定判断した場合には、上記ステップ５０３で、ぼかしの度合いを低めに定める。サムネイル表示における各画像は多少ぼかしても利用者には視認できるが、少し離れた非利用者は、各画像が小さいため視認不可能となる。
【００６０】
一方、ステップ５０２で否定判断した場合、ぼかしの度合いを高めに定める。これは、画像がサムネイル表示と比較して大きいため、ぼかしの度合いを高めに定めなければ非利用者が視認不可能とならないためである。
【００６１】
このように、画像の内容に応じて視認性を低下させることで、利用者の使い勝手を向上することができる。なお、非利用者の距離を考慮して視認性を低下させる度合いを定めるようにしても良い。
【００６２】
以上説明した画像処理装置１０の応用例を、図１１に示す。図１１は、画像処理装置１０と画像形成装置５０とを例えばＬＡＮケーブルなどで接続した例を示している。この構成は、例えばメディアに記録された画像データを画像形成装置５０が印刷するもので、その印刷する画像データを、利用者は画像表示装置１０で選択することができる。
【００６３】
このとき、画像が表示されるため、上述した画像表示装置１０の処理を適用することができる。
【００６４】
なお、図１１に示されるように、この構成では測距センサ４０が設けられている。この測距センサ４０は、下面から見ると図１２に示されるようになっており、画像表示装置の下面に設けられることで、利用者及び非利用者の身長に考慮されたものとなっている。
【００６５】
以上、本実施の形態で説明した各フローチャートにおける処理の流れは一例であり、本発明の主旨を逸脱しない範囲内で処理順序を入れ替えたり、新たなステップを追加したり、不要なステップを削除したりすることができることは言うまでもない。
【図面の簡単な説明】
【００６６】
【図１】本実施の形態に係る画像表示装置を示す図である。
【図２】カメラの画角を示す図である。
【図３】画像表示装置のハードウェア構成を示す図である。
【図４】画像表示装置の処理概要を示す図である。
【図５】視認低下例を示す図である。
【図６】特徴量記録処理を示すフローチャートである。
【図７】視認低下処理を示すフローチャートである（その１）。
【図８】視認低下処理を示すフローチャートである（その２）。
【図９】視認低下処理を示すフローチャートである（その３）。
【図１０】視認を低下させる度合いを定める処理を示すフローチャートである。
【図１１】画像表示装置の応用例を示す図である。
【図１２】測距センサの外観を示す図である。
【符号の説明】
【００６７】
１０  画像処理装置
２０  ＨＤＤ
２８  表示部
３２  カメラ
３４  バス
４０  測距センサ
【図１】
2008181015.tif 000003
【図２】
2008181015.tif 000004
【図３】
2008181015.tif 000005
【図６】
2008181015.tif 000006
【図７】
2008181015.tif 000007
【図８】
2008181015.tif 000008
【図９】
2008181015.tif 000009
【図１０】
2008181015.tif 000010
【図１１】
2008181015.tif 000011
【図１２】
2008181015.tif 000012
【図４】
2008181015.tif 000013
【図５】
2008181015.tif 000014